(57)【特許請求の範囲】
【請求項１】
飲料容器本体の上端部に装着される栓本体と、栓本体の背面側に回動自在に軸支されて栓本体の開口部を閉塞する片開き式の蓋体とを有し、栓本体の前面側に開操作部材の上下方向の中間を水平軸の周りに起伏回動自在に軸支するとともに、開操作部材の上端側を背面方向に付勢する付勢手段を設け、蓋体を閉じると蓋体前面の下端部の当接部が開操作部材の上端部に当接して起こし、開操作部材の上端部に形成した係合部が係合受け部と係合し閉状態となり、開操作部材の下端部を後方へ押圧すると前記係合が解放される飲料容器の栓体において、
蓋体前面の内の係合受け部両脇の近傍に、コ字状の施錠部材の両側部を上下方向に回動自在に支持するとともに、施錠部材を前向きと、上向きまたは斜め上向きの位置を保持するように構成し、
蓋体の係合受け部に開操作部材の係合部が係合した状態で、施錠部材を前向きに回動すると施錠部材が開操作部材の上端部の前面を覆う施錠状態となり、
蓋体の係合受け部に開操作部材の係合部が係合した状態で、施錠部材を上向きまたは斜め上向きに回動すると施錠部材が開操作部材の上端部の前面から離間した開錠状態となるように構成したこと、
を特徴とする飲料容器の栓体。
【請求項２】
施錠部材を前向きに回動した状態で蓋体を閉じると、蓋体前面の下端部の当接部が開操作部材の上端部に当接して起こす際、開操作部材の上端部が施錠部材に当たって上向き方向に回動し、係合部と係合受け部の係合を許容するようにしたこと、
を特徴とする請求項１記載の飲料容器の栓体。
【発明の詳細な説明】
【技術分野】
【０００１】
本発明は飲料容器の栓体に係り、とくに蓋を開く操作部を施錠可能にした飲料容器の栓体に関する。
【背景技術】
【０００２】
密閉型の飲料容器は、容器本体の上端部に装着された栓体と呼ばれる部分により、内容物の出し入れと容器内部の密閉がなされる。栓体は内容物を外に空ける開口部を有し、容器本体の上端部に着脱自在または固着して装着される栓本体と、栓本体の背面上端に回動自在に軸支されて栓本体の開口部を開閉する片開き式の蓋体とを備えている。蓋体の内面には栓本体の開口部に押接されて密閉するパッキンが付設されるとともに、蓋開用バネにより常時、開側に付勢されている。
不使用時、蓋体を密閉状態に保持するために栓体の前面にはロック部が備えられており、蓋体を栓本体に係合して閉状態にしたり、ユーザの開操作に応じて係合を解放し、蓋体を開状態にすることができるようになっている。ロック部の係合は、蓋体に形成された係合受け部と、栓本体側に設けられた開操作部材に形成された係合部との係り合いでなされる。そして、開操作部材に対し開操作することにより、係合が外れるようになっている。
【０００３】
レバー型で起伏式（揺動式）の開操作部材は上下方向の途中が栓本体前面の上端近くに起伏回動自在に軸支されており、下端部の裏面と栓本体の前面壁の間に介装された圧縮バネにより、常時、上端部が栓体の背面方向へ付勢されている。蓋体を開状態から閉じたい場合、蓋体を閉じる方向に回動して押し下げると、蓋体前面の係合受け部の下側に形成された傾斜当接部が開操作部材の上端部に当接して前方へ起こす。係合部が係合受け部と傾斜当接部の間の乗り越え部を乗り越えると、圧縮バネにより開操作部材の上端部が背面方向へ伏し、係合部が係合受け部と係合して閉じた状態となる。反対に、蓋体を閉状態から開きたい場合、開操作部材の下端部を背面方向へ押圧し、圧縮バネに抗して開操作部材の上端部を起こすと、係合部と係合受け部の係合が外れて、蓋開用バネに付勢されて蓋体が開く。
【０００４】
ロック部により蓋体を閉状態とした飲料容器をバッグに入れて持ち運ぶと、開操作部材に他の物が当たって蓋体が開き、飲料容器の内容物がこぼれてしまう恐れがある。これを防止するため、栓体には施錠部が備えられており、開操作部材による蓋体と栓本体の閉状態を保持したい場合、蓋体の係合受け部と開操作部材の係合部を係合させて蓋体を閉じたあと、更に、施錠部により開操作部材を施錠して開動作を不能とし、内容物を飲むときは施錠部による施錠を解除した場合だけ開操作部材に対し開操作可能にしてある（二重ロック構造）。
【０００５】
けれども、従来の二重ロック構造の施錠部は、蓋体の前面に上下スライド部材を上下動自在に装備し、この上下スライド部材を下動し、開操作部材の上端部に差し込んたり、開操作部材の上端部の前面を覆ったりして、開操作部材が起きられないようにして施錠していたため、上下スライド部材を上下動自在にガイドする構造が必要となって、構成が複雑化する問題があった。
また、蓋体を閉じる際、誤って先に上下スライド部材を下動し施錠位置とした状態で蓋体を押し下げると、上下スライド部材が邪魔になって閉じれなくなったり、無理に閉じようとして上下スライド部材や開操作部材を損壊したりする恐れがあった。
【先行技術文献】
【特許文献】
【０００６】
【特許文献１】特許第４６５１６８８号公報
【発明の概要】
【発明が解決しようとする課題】
【０００７】
本発明は上記した従来技術の問題に鑑みなされたもので、施錠部の構造を簡単化できる飲料容器の栓体を提供することを、その目的とする。
また、他の発明では、施錠部を施錠位置にしたまま蓋体を閉じても、円滑に蓋体を閉状態とできる飲料容器の栓体を提供することを、その目的とする。
【課題を解決するための手段】
【０００８】
請求項１記載の発明では、
飲料容器本体の上端部に装着される栓本体と、栓本体の背面側に回動自在に軸支されて栓本体の開口部を閉塞する片開き式の蓋体とを有し、栓本体の前面側に開操作部材の上下方向の中間を水平軸の周りに起伏回動自在に軸支するとともに、開操作部材の上端側を背面方向に付勢する付勢手段を設け、蓋体を閉じると蓋体前面の下端部の当接部が開操作部材の上端部に当接して起こし、開操作部材の上端部に形成した係合部が係合受け部と係合し閉状態となり、開操作部材の下端部を後方へ押圧すると前記係合が解放される飲料容器の栓体において、
蓋体前面の内の係合受け部両脇の近傍に、コ字状の施錠部材の両側部を上下方向に回動自在に支持するとともに、施錠部材を前向きと、上向きまたは斜め上向きの位置を保持するように構成し、
蓋体の係合受け部に開操作部材の係合部が係合した状態で、施錠部材を前向きに回動すると施錠部材が開操作部材の上端部の前面を覆う施錠状態となり、
蓋体の係合受け部に開操作部材の係合部が係合した状態で、施錠部材を上向きまたは斜め上向きに回動すると施錠部材が開操作部材の上端部の前面から離間した開錠状態となるように構成したこと、
を特徴としている。
請求項２記載の発明では、
施錠部材を前向きに回動した状態で蓋体を閉じると、蓋体前面の下端部の当接部が開操作部材の上端部に当接して起こす際、開操作部材の上端部が施錠部材に当たって上向き方向に回動し、係合部と係合受け部の係合を許容するようにしたこと、
を特徴としている。
【発明の効果】
【０００９】
本発明によれば、蓋体前面の内の係合受け部の近傍で上下に回動自在に軸支したコ字状の施錠部材を前向きに回動したり、上向きまたは斜め上向きに回動することで、開操作部材の施錠と開錠ができ、施錠構造が極めて簡単となる。
また、施錠部材を施錠位置としたまま蓋体を閉じようとしたとき、蓋体前面の下端部の当接部が開操作部材の上端部に当接して前方に起こす際に、施錠部材を上向き方向に回動させるので、そのまま円滑に蓋体を閉じて係合受け部と係合部を係合状態とできる。
【図面の簡単な説明】
【００１０】
【図１】本発明の一実施例に係る飲料容器の正面図である（実施例１）。
【図２】図１の側面図である。
【図３】蓋体を開いた状態での一部破断した飲料容器の側面図である。
【図４】図４（１）は施錠部の主要部を示す一部省略した斜視組み立て図、図４（２）はロック部の主要部を示す一部省略した斜視組み立て図である。
【図５】ロック部の動作説明図である。
【図６】施錠部の動作説明図である。
【発明を実施するための最良の形態】
【００１１】
以下、本発明の最良の形態を実施例に基づき説明する。
【実施例１】
【００１２】
図１乃至図４を参照して本発明の一実施例を説明する。図１は本発明に係る飲料容器の正面図、図２は飲料容器の側面図、図３は蓋体を開いた状態での一部破断した飲料容器の側面図、図４（１）は施錠部の主要部を示す一部省略した斜視組み立て図、図４（２）はロック部の主要部を示す一部省略した斜視組み立て図である。
これらの図において、飲料容器１は上端が開口した真空二重壁構造の容器本体２と、容器本体２の上端部に形成された雄螺子部３に着脱自在に螺合された栓体４とから成り、栓体４は略筒形で内側壁に雌螺子部５が形成されるとともに開口部としての飲み口部６が固着された栓本体７と、栓本体７の背面側の上端に回動自在に軸ピン８により軸支されて栓本体７の飲み口部６を閉塞する片開き式の蓋体９とを有する。蓋体９は軸ピン８に巻装された蓋開用バネ（図示せず）により、常時、蓋体９を全開する方向へ付勢されている。飲み口部６はすり鉢状の底部１０に容器本体２の内容物を外部に注出するための注出口１１が形成されている。また、飲み口部６の上部前側はユーザが口を付ける立ち上がり部１２となっている。飲み口部６の下部の底部１０の周囲を囲む周壁１３と周壁１３の上下方向の途中から側方へ突設された円環状のツバ部１４の下面にわたりシール部材１５が装着されており、栓本体７と容器本体２の上端の間が水密に密閉されている。
【００１３】
栓本体７と蓋体９の前面側には、蓋体９を閉状態とするためのロック部２０が装備されている。このロック部２０は、栓本体７の前面側中央の上部に形成されたＵ字状の突設壁２１で囲まれた空間に遊嵌された起伏式（揺動式）でレバー型の開閉操作部材２２と、開閉操作部材２２の上端部に一段細く形成されるとともに栓本体７の外周縁上端より上方へ延設された延設部２３の背面側で延設部２３の上端より少し下から背面方向へ突設された係合部としての係合爪２４と、突設壁２１の上端近くので両側へ水平に配設されて開閉操作部材２２の上下方向の中間で起伏回動自在に軸支する軸ピン２５と、開閉操作部材２２の下端部の背面と栓本体７の前面壁２６の間に介装されて開閉操作部材２２の上端部を常時、後方（開閉操作部材２２が伏せる方向）へ付勢する圧縮コイルバネ２７と、蓋体９の前面側中央の下端近くで蓋体９を閉じたときに係合爪２４と対向する箇所に形成されて係合爪２４と係合する係合受け部としての係合凹部２８と、蓋体９の前面中央の下端部で係合凹部２８の下側に形成されて開閉操作部材２２の上端部を前方（開閉操作部材２２が起きる方向）に回動させる傾斜当接部２９とから成る。
【００１４】
開閉操作部材２２の上端部が後方へ復帰している状態でユーザが蓋体９を閉じていくと、傾斜当接部２８が開閉操作部材２２の延設部２３の背面側の係合爪２４の上面３０から先端３１までの間に当接して開閉操作部材２２の上端部を前方に回動させる。係合爪２４の後方へ突設した先端が傾斜当接部２９の前端の乗り越え部３２を乗り越えたあと、圧縮コイルバネ２７により開閉操作部材２２の上端部が後方に付勢されて係合爪２４が係合凹部２８と係合し、蓋体９が閉じた状態に保持される。この蓋体９が閉じた状態から、ユーザが開閉操作部材２２の下端部を圧縮コイルバネ２７に抗して後方へ押圧すると、開閉操作部材２２の上端部が前方に起きて係合爪２４が係合凹部２８から外れ、軸ピン８に巻装された蓋開用バネ（図示せず）に付勢されて蓋体９が全開する。
【００１５】
ところで、ロック部２０により蓋体９を閉状態とした飲料容器１をバッグに入れて持ち運ぶと、開閉操作部材２２に他の物が当たって蓋体９が開き、飲料容器１の内容物がこぼれてしまう恐れがある。これを防止するため、栓体４には施錠部４０が備えられており、開閉操作部材２２による蓋体９と栓本体７の閉状態を保持したい場合、蓋体９の係合凹部２８と開閉操作部材２２の係合爪２４を係合させて蓋体９を閉じたあと、更に、施錠部４０により開閉操作部材２２を施錠して開動作を不能とし、内容物を飲むときは施錠部４０による施錠を解除した場合だけ開閉操作部材２２に対し開操作可能にしてある（二重ロック構造）。
【００１６】
施錠部４０は、蓋体９の前面側中央の下端部に係合凹部２８及び傾斜当接部２９を略コ字状に囲むようにして蓋体９の前面壁１８から前方に突設して設けられた支持壁４１と、支持壁４１の上端部内（係合凹部２８の直上）に水平に配設されて回動自在に支持された軸ピン４２と、軸ピン４２の両端部で支持壁４１から左右に突出した突出部分に一体的に固定されて上下方向に回動自在に支持されたコ字状の施錠部材４３から成る。支持壁４１の上端部の前部は施錠部材４３の回動を妨げないように断面が丸く形成されている。施錠部材４３は水平に配設された指掛け部４４と、指掛け部４４の両端から直角に折り曲げられた折曲端部４５、４６から成り、折り曲げ端部４６、４７が軸ピン４２の左右の突出部分に嵌着されている。これにより、施錠部材４３は蓋体９の前面で係合凹部２８の両脇の近傍に上下方向に回動自在に軸支される。施錠部材４３は指掛け部４４を指で押すことにより上向きと前向きの間で回動自在であり、また折り曲げ端部４５、４６は支持壁４１の左右端面４７、４８を両側から押圧して挟み込むようにしており、折り曲げ端部４５、４６と支持壁４１の左右端面４７、４８の間に働く摩擦力により、施錠部材４３を任意の回動位置で指を離せばその回動位置に固定するようになっている。
蓋体９の係合凹部２８に開閉操作部材２２の係合爪２４が係合した状態で、施錠部材４３を前向きに回動すると施錠部材４３が開閉操作部材２２の上端部の前面を覆う施錠位置で固定した状態となり、開閉操作部材２２の下端部を後方へ押圧しても上端部が施錠部材４３に当たって開操作不能となる。施錠部材４３を上向きに回動すると施錠部材４３が開操作部材２２の上端部の前面から離間して開錠位置に固定した状態となり、開閉操作部材２２の下端部を後方へ押圧すれば、開閉操作部材２２の上端部が前方に起きて係合爪２４が係合凹部２８から外れ、蓋体９が全開する。
【００１７】
蓋体９を開いた状態から閉じるとき、予め、施錠部材４３は上向きの開錠位置に固定した状態としておけば良い。施錠部材４３を前向きの施錠位置としたまま蓋体９を閉じたとき、蓋体９の傾斜当接部２９が伏せた状態にある開閉操作部材２２の延設部２３の背面側の係合爪２５の上面３０から先端３１の間に当接して開閉操作部材２２を起こす際、延設部２３が施錠部材４３に当接して上向きに回動させて施錠位置から脱し、係合爪２４と係合凹部２８の係合を許容する。従って、そのまま蓋体９を閉じれば、係合爪２４の後方へ突設した先端が傾斜当接部２９の前端の乗り越え部３２を乗り越えたあと、圧縮コイルバネ２７により開閉操作部材２２の上端部が後方に付勢されて係合爪２４が係合凹部２８と係合し、蓋体９が閉じた状態に保持される。
【００１８】
次に図５、図６を参照して上記した実施例の作用を説明する。図５はロック部２０の動作説明図、図６は施錠部４０の動作説明図である。
予め、係合爪２４が係合凹部２８に係合して蓋体９が閉じた状態にあり、施錠部材４３が前向きの施錠位置に固定した状態で、内容物を飲みたい場合、まず指で施錠部材４３を上向きに回動して開錠する。次に、開閉操作部材２２の下端部を圧縮コイルバネ２７抗して後方へ押圧し、延設部２３を前方に起こして係合爪２４を係合凹部２８から外す。すると、蓋開用バネ（図示せず）により蓋体９が全開となり、飲み口部６に口を当てて内容物を飲むことができる。
飲料後、蓋体９を閉じる場合、開閉操作部材２２の延設部２３が後方へ復帰している状態で、ユーザが蓋体９を閉じる方向へ回動し（図５（１）参照）、蓋体９の前面が栓体７の前面に近づいたところで天面１６を押下すると、傾斜当接部２９が開閉操作部材２２の延設部２３の背面側の係合爪２４の上面３０から先端３１の間に当接して開閉操作部材２２の延設部２３を前方に回動させる（図５（２）、（３）参照）。係合爪２４の後方へ突設した先端３１が傾斜当接部２９の前端の乗り越え部３２を乗り越えると、圧縮コイルバネ２７により開閉操作部材２２の上端部が後方に付勢されて係合爪２４が係合凹部２８と係合し、蓋体９が閉じた状態となる（図５（４）参照）。次に、施錠部材４３を前向きに回動させて延設部２３の前面を覆い、施錠位置に固定した状態とする（図５（５）参照）。
【００１９】
若し、蓋体９を閉じる前または途中で施錠部材４３を前向きの施錠位置に固定した状態としたまま蓋体９を閉じたとき（図６（１）参照）、蓋体９の傾斜当接部２９が伏せた状態にある開閉操作部材２２の延設部２３の背面側の係合爪２４の上面３０から先端３１までに当接して開閉操作部材２２を起こす際（図６（２）参照）、延設部２３が施錠部材４３の指掛け部４４に当接して上向きに回動させるので（図６（３）参照）、施錠部材４３は施錠位置から脱して係合爪２４と係合凹部２８の係合を許容する。従って、そのまま蓋体９を閉じれば、係合爪２４の後方へ突設した先端が傾斜当接部２９の前端の乗り越え部３２を乗り越えたあと、圧縮コイルバネ２７により開閉操作部材２２の上端部が後方に付勢されて係合爪２４が係合凹部２８と係合し、蓋体９が閉じた状態に保持される（図６（４）参照）。このあと、施錠部材４３を前向きに回動させて延設部２３の前面を覆い、施錠位置に固定した状態とすればよい（図６（５）参照）。
【００２０】
この実施例によれば、施錠部４０を、蓋体９の前面側中央の下端部に係合凹部２８及び傾斜当接部２９を略コ字状に囲むようにして蓋体９の前面壁１８から前方に突設して設けられた支持壁４１と、支持壁４１の上端部内に水平に配設されて回動自在に支持された軸ピン４２と、軸ピン４２の両端部で支持壁４１から左右に突出した突出部分に一体的に固定されて上下方向に回動自在に支持されたコ字状の施錠部材４３により構成したので、施錠部材が上下にスライドする従来タイプに比して、極めて簡単かつ省スペースな施錠構造を実現できる。
また、施錠部材４３を施錠位置に固定したまま蓋体９を閉じようとしたとき、蓋体９の前面下端部の傾斜当接部２９が開閉操作部材２２の延設部２３の背面側の係合爪２４の上面３０から先端３１の間に当接して開閉操作部材２２を前方に起こす際に、施錠部材４３が上向きに回動して施錠位置から脱し、係合爪２４と係合凹部２８の係合を許容するようになる。従って、施錠部材４３や開閉操作ブ剤２２を損壊させることなく、そのまま円滑に蓋体９を閉じて係合爪２４を係合凹部２８に係合状態とできる。
【００２１】
なお、上記した実施例は栓本体が容器本体の上端部に着脱自在としたが、予め固着するようにしても良い。
また、施錠部材を上向きに回動すると開錠状態となるようにしたが、斜め上向きに回動すると解除状態となるようにしても良い。
【産業上の利用可能性】
【００２２】
本発明は、真空二重壁構造等の飲料容器本体に着脱自在または固着される栓体に適用可能である。
【符号の説明】
【００２３】
１  飲料容器
２  容器本体
４  栓体
７  栓本体
９  蓋体
２０  ロック部
２２  開閉操作部材
２４  係合爪
２５  軸ピン
２７  圧縮コイルバネ
２８  係合凹部
２９  傾斜当接部
４０  施錠部
４２  軸ピン
４３  施錠部材
４４  指掛け部
４５、４６  折り曲げ端部
【図１】
0006547167.tif 000002
【図２】
0006547167.tif 000003
【図３】
0006547167.tif 000004
【図４】
0006547167.tif 000005
【図５】
0006547167.tif 000006
【図６】
0006547167.tif 000007